(57)【要約】【課題】集塵装置を小型化しても集塵効率を向上させることができると共に、フィルタのメンテナンス性を向上させることができる電気掃除機及びその集塵装置を提供することを課題とする。【解決手段】集塵空間８には、集塵空間８略中央部に筒状体９，１６を配設すると共に、筒状体９，１６の略中央部に集塵空間８外に連通する排気筒１７を配設し、筒状体１６に、筒状体１６と排気筒１７との間の空間に連通する連通孔２１を形成すると共に、連通孔２１から筒状体１６と排気筒１７との間の空間に導かれた空気を旋回させる旋回流発生手段２４を形成し、さらに、筒状体１６には、筒状体１６と排気筒１７との間の空間の旋回気流から分離された塵埃を筒状体１６の外部へ排出する排出口２２を形成した電気掃除機において、集塵空間８外の、排気筒１７の排気孔２３より下流側にフィルタ２５を装着する。【選択図】      図１
2005204880.tif 000002
【特許請求の範囲】
【請求項１】
吸込具本体と、吸込具本体に連通する掃除機本体と、掃除機本体に形成された集塵空間とを備え、集塵空間には、集塵空間内に導かれた空気を旋回させて塵埃を分離するサイクロン式集塵装置を有する電気掃除機において、前記集塵空間外の、集塵空間の排気孔より下流側にはフィルタが装着されていることを特徴とする電気掃除機。
【請求項２】
吸込具本体と、吸込具本体に連通する掃除機本体と、掃除機本体に形成された集塵空間とを備え、集塵空間には、集塵空間略中央部に筒状体を配設すると共に、筒状体の略中央部に集塵空間外に連通する排気筒を配設し、筒状体に、筒状体と排気筒との間の空間に連通する連通孔を形成すると共に、連通孔から筒状体と排気筒との間の空間に導かれた空気を旋回させる旋回流発生手段を形成し、さらに、筒状体には、筒状体と排気筒との間の空間の旋回気流から分離された塵埃を筒状体の外部へ排出する排出口を形成した電気掃除機において、前記集塵空間外の、排気筒の排気孔より下流側にはフィルタが装着されていることを特徴とする電気掃除機。
【請求項３】
吸込具本体と、吸込具本体に連通する掃除機本体と、掃除機本体に形成された集塵空間とを備え、集塵空間には、集塵空間略中央部に筒状体を配設すると共に、筒状体の略中央部に集塵空間外に連通する排気筒を配設し、筒状体に、筒状体と排気筒との間の空間に連通する連通孔を形成すると共に、筒状体と排気筒との間の空間に、連通孔から導かれた空気を旋回させながら軸方向に導く螺旋状羽根を形成し、さらに、筒状体には、旋回気流の下流側位置に、旋回気流から分離された塵埃を筒状体の外部へ排出する排出口を形成した電気掃除機において、前記集塵空間外の、排気筒の排気孔より下流側にはフィルタが装着されていることを特徴とする電気掃除機。
【請求項４】
前記集塵空間は、掃除機本体に着脱自在な集塵容器により構成され、前記フィルタは、集塵容器外に装着されていることを特徴とする請求項１乃至請求項３の何れか１項に記載の電気掃除機。
【請求項５】
前記集塵空間は、掃除機本体に着脱自在な集塵容器と、掃除機本体の一部とから構成され、前記フィルタは、集塵容器外に装着されていることを特徴とする請求項１乃至請求項３の何れか１項に記載の電気掃除機。
【請求項６】
前記フィルタは、集塵容器の外面に着脱自在に装着されていることを特徴とする請求項４または請求項５記載の電気掃除機。
【請求項７】
集塵容器内に導かれた空気を旋回させて塵埃を分離する集塵装置において、前記集塵容器外の、集塵容器の排気孔より下流側にはフィルタが装着されていることを特徴とする集塵装置。
【請求項８】
集塵容器略中央部に筒状体を配設すると共に、筒状体の略中央部に集塵容器外に連通する排気筒を配設し、筒状体に、筒状体と排気筒との間の空間に連通する連通孔を形成すると共に、連通孔から筒状体と排気筒との間の空間に導かれた空気を旋回させる旋回流発生手段を形成し、さらに、筒状体には、筒状体と排気筒との間の空間の旋回気流から分離された塵埃を筒状体の外部へ排出する排出口を形成した集塵装置において、前記集塵容器外の、排気筒の排気孔より下流側にはフィルタが装着されていることを特徴とする集塵装置。
【請求項９】
集塵容器略中央部に筒状体を配設すると共に、筒状体の略中央部に集塵容器外に連通する排気筒を配設し、筒状体に、筒状体と排気筒との間の空間に連通する連通孔を形成すると共に、筒状体と排気筒との間の空間に、連通孔から導かれた空気を旋回させながら軸方向に導く螺旋状羽根を形成し、さらに、筒状体には、旋回気流の下流側位置に、旋回気流から分離された塵埃を筒状体の外部へ排出する排出口を形成した集塵装置において、前記集塵容器外の、排気筒の排気孔より下流側にはフィルタが装着されていることを特徴とする集塵装置。
【請求項１０】
前記フィルタは、集塵容器の外面に着脱自在に装着されていることを特徴とする請求項７乃至請求項９の何れか１項に記載の集塵装置。
【発明の詳細な説明】
【技術分野】
【０００１】
本発明は電気掃除機及びその集塵装置に関し、特に、サイクロン式集塵装置を有する電気掃除機及びその集塵装置に関する。
【背景技術】
【０００２】
従来、この種サイクロン式集塵装置を有する電気掃除機として、本願発明者は特願２００３−９４４１６号において提案している。この電気掃除機は、集塵空間の略中央部にサイクロン筒体を配設すると共に、サイクロン筒体の略中央部に排気筒を配設し、集塵空間内に導いた塵埃等を含む空気をサイクロン筒体外で旋回させて空気流から比較的大きな塵埃等を分離する。そして、比較的大きな塵埃等が分離された空気を、サイクロン筒体内に導き、排気筒とサイクロン筒体との間で旋回流発生手段により旋回させて、微細な塵埃を分離してサイクロン筒体下部に蓄積させると共に、微細な塵埃が分離された空気を排気筒から集塵容器外に導くように構成することにより集塵空間の筒の軸方向長さを短くして小型化したものである（例えば、特許文献１参照）。
【特許文献１】特願２００３−９４４１６号
【発明の開示】
【発明が解決しようとする課題】
【０００３】
しかしながら、集塵装置を小型化するために集塵空間の筒の軸方向長さを短くしてしまうと、微細な塵埃を分離するための十分な旋回距離を確保することができなくなるため、微小の微細な塵埃は集塵装置外へ排出されてしまうという問題が生じる虞があった。この問題を解決するためには集塵装置の流路に集塵フィルタを配置する方法が考えられるが、メンテナンス時のフィルタの着脱等の作業が煩わしくなってしまう問題が生じる。
【０００４】
本発明は、かかる課題を解消するためになされたもので、集塵装置を小型化しても集塵効率を向上させることができると共に、フィルターのメンテナンス性を向上させることができる電気掃除機及びその集塵装置を提供することを課題とする。
【課題を解決するための手段】
【０００５】
上記課題を解決するための第１の手段は、吸込具本体と、吸込具本体に連通する掃除機本体と、掃除機本体に形成された集塵空間とを備え、集塵空間には、集塵空間内に導かれた空気を旋回させて塵埃を分離するサイクロン式集塵装置を有する電気掃除機において、前記集塵空間外の、集塵空間の排気孔より下流側にはフィルタが装着されていることを特徴とする。
【０００６】
上記課題を解決するための第２の手段は、吸込具本体と、吸込具本体に連通する掃除機本体と、掃除機本体に形成された集塵空間とを備え、集塵空間には、集塵空間略中央部に筒状体を配設すると共に、筒状体の略中央部に集塵空間外に連通する排気筒を配設し、筒状体に、筒状体と排気筒との間の空間に連通する連通孔を形成すると共に、連通孔から筒状体と排気筒との間の空間に導かれた空気を旋回させる旋回流発生手段を形成し、さらに、筒状体には、筒状体と排気筒との間の空間の旋回気流から分離された塵埃を筒状体の外部へ排出する排出口を形成した電気掃除機において、前記集塵空間外の、排気筒の排気孔より下流側にはフィルタが装着されていることを特徴とする。
【０００７】
上記課題を解決するための第３の手段は、吸込具本体と、吸込具本体に連通する掃除機本体と、掃除機本体に形成された集塵空間とを備え、集塵空間には、集塵空間略中央部に筒状体を配設すると共に、筒状体の略中央部に集塵空間外に連通する排気筒を配設し、筒
状体に、筒状体と排気筒との間の空間に連通する連通孔を形成すると共に、筒状体と排気筒との間の空間に、連通孔から導かれた空気を旋回させながら軸方向に導く螺旋状羽根を形成し、さらに、筒状体には、旋回気流の下流側位置に、旋回気流から分離された塵埃を筒状体の外部へ排出する排出口を形成した電気掃除機において、前記集塵空間外の、排気筒の排気孔より下流側にはフィルタが装着されていることを特徴とする。
【０００８】
上記課題を解決するための第１の手段乃至第３の手段において、前記集塵空間は、掃除機本体に着脱自在な集塵容器により構成され、前記フィルタは、集塵容器外に装着されてもよい。
【０００９】
上記課題を解決するための第１の手段乃至第３の手段において、前記集塵空間は、掃除機本体に着脱自在な集塵容器と、掃除機本体の一部とから構成され、前記フィルタは、集塵容器外に装着されてもよい。
【００１０】
また、前記フィルタは、集塵容器の外面に着脱自在に装着されてもよい。
【００１１】
上記課題を解決するための第４の手段は、集塵容器内に導かれた空気を旋回させて塵埃を分離する集塵装置において、前記集塵容器外の、集塵容器の排気孔より下流側にはフィルタが装着されていることを特徴とする。
【００１２】
上記課題を解決するための第５の手段は、集塵容器略中央部に筒状体を配設すると共に、筒状体の略中央部に集塵容器外に連通する排気筒を配設し、筒状体に、筒状体と排気筒との間の空間に連通する連通孔を形成すると共に、連通孔から筒状体と排気筒との間の空間に導かれた空気を旋回させる旋回流発生手段を形成し、さらに、筒状体には、筒状体と排気筒との間の空間の旋回気流から分離された塵埃を筒状体の外部へ排出する排出口を形成した集塵装置において、前記集塵容器外の、排気筒の排気孔より下流側にはフィルタが装着されていることを特徴とする。
【００１３】
上記課題を解決するための第６の手段は、集塵容器略中央部に筒状体を配設すると共に、筒状体の略中央部に集塵容器外に連通する排気筒を配設し、筒状体に、筒状体と排気筒との間の空間に連通する連通孔を形成すると共に、筒状体と排気筒との間の空間に、連通孔から導かれた空気を旋回させながら軸方向に導く螺旋状羽根を形成し、さらに、筒状体には、旋回気流の下流側位置に、旋回気流から分離された塵埃を筒状体の外部へ排出する排出口を形成した集塵装置において、前記集塵容器外の、排気筒の排気孔より下流側にはフィルタが装着されていることを特徴とする。
【００１４】
上記課題を解決するための第４の手段乃至第６の手段において、前記フィルタは、集塵容器の外面に着脱自在に装着されてもよい。
【発明の効果】
【００１５】
本発明の請求項１乃至請求項１０の構成によると、集塵空間外の、排気孔より下流側にフィルタを配設しているため、集塵空間を小型化しても集塵効率を向上させることができると共に、集塵空間の外側からフィルタの状態を容易に確認することができ、フィルタのメンテナンス性を向上させることができる等の効果を奏する。
【発明を実施するための最良の形態】
【００１６】
以下、本発明を実施するための最良の形態を図１乃至図３に基づいて詳細に説明する。本発明の形態は、アップライト型電気掃除機に適用したもので、図１は集塵容器の断面図で、フィルタを集塵容器に装着した状態を示し、図２は集塵容器の断面図で、フィルタを集塵容器から取り外した状態を示し、図３は電気掃除機の側面図である。
【００１７】
床面に吸込口１を有する吸込具本体２は、吸込口１に臨ませて図示しない回転ブラシを回転自在に支持している。吸込具本体２に揺動自在に支持された掃除機本体３は、下部に図示しない電動送風機を内蔵すると共に、上部にハンドル４を上方に向けて延設している。
【００１８】
掃除機本体３に着脱自在に装着される集塵容器５は、略透明な材料にて円筒状に形成されている（図３参照）。
【００１９】
集塵容器５の内部は、区画壁６によって下部と上部との二つの空間に区画されている。下部には底面を開口７した集塵空間８が形成され、上部には後述する第１の円筒状筒体９を係脱自在に保持する図示しない保持機構を収納する収納空間１０が形成されている。集塵容器５には、集塵空間８内に取り入れた空気を旋回方向へ導くための吸気口１１が形成されている。（図１、図２参照）。
【００２０】
集塵空間８底面の開口７を開閉自在に閉塞する蓋体１２は、集塵容器５下部一側に揺動自在に軸支され、集塵容器５下部他側に形成されたクランプ１３により集塵容器５の開口７を閉塞した状態に保持するようになっている。クランプ１３を操作する操作体１４は、操作体１４を下方に押圧することによりクランプ１３を揺動させ、蓋体１２を開放するようになっている。蓋体１２の略中央部に形成され、排気筒１７に連通する排気口１５は、集塵容器５を掃除機本体３に装着した状態で、電動送風機に連通するようになっている（図１、図２参照）。
【００２１】
収納空間１０内に収納されている保持機構は、図示しない支持軸を係脱自在に支持するようになっており、図示しない操作部を集塵容器５の外部から操作することにより支持軸を開放し、後述する第１の円筒状筒体９と第２の円筒状筒体１６と排気筒１７とを集塵容器５から取り外すことができるようになっている（図１、図２参照）。
【００２２】
集塵容器５の集塵空間８内の略中央部に配設される第１の円筒状筒体９には、集塵容器５の吸気口１１に略対向する上部を除いた下方から約２／３の部分に多数の通気孔１８が形成されている。第１の円筒状筒体９の下端から集塵容器５内側面に向かって延設される鍔部１９は、集塵容器５内側面に近接するに従って下方に湾曲する形状に形成され、鍔部９の外周と集塵容器５内側面との間には少許の間隙が形成されている（図１、図２参照）。
【００２３】
第１の円筒状筒体９内に、第１の円筒状筒体９と同軸上に配置される第２の円筒状筒体１６は、高さ方向略中央位置から外周方向に延設したフランジ部２０を第１の円筒状筒体９下端部に係脱自在に係合している（図１、図２参照）。
【００２４】
第２の円筒状筒体１６のフランジ部２０上方位置に形成された連通孔２１は、第１の円筒状筒体９と第２の円筒状筒体１６とで囲まれる空間と、第２の円筒状筒体１６内とを連通している。第２の円筒状筒体１６上部には排出口２２が形成され、排出口２２を囲むと共に、排出口２２と集塵空間８の下部とを連通させる図示しない排出通路が第２の円筒状筒体１６の側面に形成されている（図１、図２参照）。
【００２５】
第２の円筒状筒体１６内に第２の円筒状筒体１６と同軸上に配設される円筒状の排気筒１７は、第２の円筒状筒体１６に一体的に固定されており、下端の排気孔２３は蓋体１２の排気口１５に連通している。排気筒１７は上端が第２の円筒状筒体１６の連通孔２１より上方位置まで形成されている（図１、図２参照）。
【００２６】
排気筒１７外周の連通孔２１と対向する位置から上方に向かって形成された螺旋状の突条２４は、突条２４外周が第２の円筒状筒体１６内面に近接、または当接するように形成されており、連通孔２１から第２の円筒状筒体１６内に導かれた空気を旋回させ、空気から微細な塵埃を分離させて排出口２２から放出するようになっている（図１、図２参照）。
【００２７】
集塵容器５外周面の、排気口１５に対応する位置には、排気口１５を開閉自在に覆うフィルタ２５が配設されている。フィルタ２５は、上流側から目の粗いウレタン等からなる第１フィルタ２６、不織布等からなる第２フィルタ２７、微細な塵埃を除去するプリーツ形状の第３フィルタ２８との３層で構成されている。そして、フィルタ２５はフィルタケース２９に収納され、フィルタケース２９の一側は集塵容器５に回動自在に軸支されると共に、他側は、他側に形成された爪部３０が集塵容器５に係脱自在に係合する（図１、図２参照）。
【００２８】
第３フィルタ２８は集塵効率を向上させるためにプリーツ状に形成されているため、第１フィルタ２６と第３フィルタ２８との間隔が極端に狭く、且つ、第１フィルタ２６の一部が目詰まりした場合には、第１フィルタ２６の目詰まりした部分に対応する第３フィルタ２８には風が流れなくなってしまう虞がある。そうなれば、第３フィルタ２８の部分的にしか風が流れなくなり、第３フィルタ２８の寿命が低下すると共に、集塵効率が低下してしまう。これに対して、本発明の形態では、第１フィルタ２６と第３フィルタ２８との間に第２フィルタ２７を配置しているため、第２フィルタ２７が第１フィルタ２６と第３フィルタ２８との間隔を所定距離保つためのスペーサー的な働きをする。この結果、第１フィルタ２６の一部が目詰まりした場合でも、第２フィルタ２７のスペースを介して第１フィルタ２６の目詰まりした部分に対応する第３フィルタ２８にも風を流れ込ますことができるため、第３フィルタ２８の寿命低下を防止することができると共に、集塵効率の低下を防止することができるようになっている。
【００２９】
このように構成された電気掃除機は、吸込具本体２の吸込口１から吸引された塵埃等は空気と共に集塵容器５の集塵空間８内に、且つ、旋回方向に導かれ、集塵空間８内で旋回し、比較的大きな塵埃等は空気から分離されて、鍔部１９と集塵容器５との間隔から集塵容器５下方の集塵空間８に蓄積する。
【００３０】
比較的大きな塵埃等が分離された空気は、第１の円筒状筒体９の通気孔１８と第２の円筒状筒体１６の連通孔２１を通過して第２の円筒状筒体１６内に導かれ、排気筒１７の突条２４により旋回流となり、第２の円筒状筒体１６内で旋回しながら上昇する。この旋回上昇気流により微細な塵埃が空気から分離され、分離された塵埃は排出口２２から排出され、排出通路を通って集塵空間８の下部に蓄積する。
【００３１】
一方、塵埃が分離された空気は、排気筒１７の上方開口に向かって導かれて下降し、フィルタ２５を通過する際に微小の微細な塵埃は除去されて電動送風機へ流れる。集塵容器５内に溜まった塵埃等を廃棄する際には、蓋体１２を開放すると、集塵容器５内の塵埃等は自重で落下して廃棄される。
【００３２】
集塵容器５外の、排気筒１７の排気孔２３より下流側にフィルタ２５を配設しているため、集塵容器５を小型化しても集塵効率を向上させることができる。また、フィルタ２５をメンテナンスする際には、図２に示すようにフィルタケース２９の他端の爪部３０の係合を解除することにより、集塵容器５の外側からフィルタ２５の状態を容易に確認することができるため、フィルタ２５のメンテナンス性を向上させることができる。
【００３３】
尚、本発明の形態では、集塵空間８は集塵容器５と蓋体１２とにより構成したが、集塵
容器を、上面を開口した有底円筒状に形成し、集塵空間の上部を集塵容器が装着される掃除機本体の一部により構成すると共に、集塵容器外周面の、排気筒の排気孔より下流位置にフィルタを配置してもよい。この構成では、排気筒を集塵容器底面と一体的に形成することができる。
【００３４】
また、本発明の形態では、排気を集塵容器５底部から排気する構成としたが、集塵容器５上面から排気する構成としてもよい。さらに、第２の円筒状筒体１６と排気筒１７との間の空間に導かれた空気を旋回させる旋回流発生手段として、排気筒１７外周に螺旋状羽根２４を形成したが、第１の円筒状筒体９と第２の円筒状筒体１６との間に旋回流発生手段としての螺旋状羽根を形成してもよい。
【００３５】
また、本発明の形態では、集塵装置をアップライト型電気掃除機に採用したが、キャニスタ型の電気掃除機に用いてもよい。さらに、集塵装置内の空気の旋回軸を縦方向としているが、横方向としてもよく、更に他の種々の変更を行ってもよい。
【図面の簡単な説明】
【００３６】
【図１】本発明を実施するための最良の集塵容器の断面図で、フィルタを集塵容器に装着した状態を示す。
【図２】同集塵容器の断面図で、フィルタを集塵容器から取り外した状態を示す。
【図３】同電気掃除機の側面図である。
【符号の説明】
【００３７】
２    吸込具本体
３    掃除機本体
５    集塵容器
８    集塵空間
９    第１の円筒状筒体
１６  第２の円筒状筒体
１７  排気筒
２１  連通孔
２２  排出口
２３  排気孔
２４  突条
２５  フィルタ
２６  第１フィルタ
２７  第２フィルタ
２８  第３フィルタ
２９  フィルタケース
【図１】
2005204880.tif 000003
【図２】
2005204880.tif 000004
【図３】
2005204880.tif 000005